【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
エレクトロクロミックデバイスへ電位を印加するための装置であって、上記エレクトロクロミックデバイスをエレクトロクロミックにスイッチングするように構成された装置であって、
上記エレクトロクロミックデバイスは、陰極により発色する導電ポリマー材料を備える第１の電極と、陽極により発色する導電ポリマー材料を備える第２の電極と、上記第１及び第２の電極との間において電気化学的に導通するように配置された電解質とを備え、
上記装置は、
ａ．光を受信し、そのような光を光センサ電位に変換するように構成された光センサと、
ｂ．上記光センサ及び上記エレクトロクロミックデバイスと電気的に通信するコントローラとを備え、
上記コントローラは、上記光センサ電位に応じて、上記エレクトロクロミックデバイスをエレクトロクロミックにスイッチングするのに十分なパルス化された連続電圧を上記エレクトロクロミックデバイスに送るように構成される装置。
【請求項２】
上記装置は、電位基準テーブルを備え、光センサ電位を受信して上記光センサ電位を上記電位基準テーブルに比較するように構成される請求項１記載の装置。
【請求項３】
パルス電位コントローラと電気的に通信する電源を備える請求項１又は２記載の装置。
【請求項４】
上記パルス化された連続電圧は、約５秒未満で上記エレクトロクロミックデバイスをエレクトロクロミックにスイッチングするのに十分である請求項１〜３のうちの１つに記載の装置。
【請求項５】
上記パルス化された連続電圧は、約２秒未満で上記エレクトロクロミックデバイスをエレクトロクロミックにスイッチングするのに十分である請求項１〜４のうちの１つに記載の装置。
【請求項６】
上記陰極により発色する導電ポリマー材料は、置換又は非置換の２，２−ジベンジル−３，４−プロピレンジオキシチオフェンモノマーを含む請求項１〜５のうちの１つに記載の装置。
【請求項７】
上記陰極により発色する導電ポリマー材料は、２，２−ビス（４−クロロ−ベンジル）−３，４−プロピレンジオキシチオフェン、２，２−ビス（４−ブロモ−ベンジル）−３，４−プロピレンジオキシチオフェン、２，２−ジベンジル−３，４−プロピレンジオキシチオフェン、それらの組み合わせからなるグループから選択された少なくとも１つのモノマーを含む請求項１〜６のうちの１つに記載の装置。
【請求項８】
上記陽極により発色する導電ポリマー材料は、ポリ（芳香族アミン）を含む
請求項１〜７のうちの１つに記載の装置。
【請求項９】
上記エレクトロクロミックデバイスは、インジウムスズ酸化物（ＩＴΟ）、ガラス、ポリ（エチレンテレフタル酸塩）（ＰＥＴ）、酸化スズ、金、カーボンナノチューブ、又はそれらの組み合わせを含む、導電性透明基板を含む請求項１〜８のうちの１つに記載の装置。
【請求項１０】
上記電解質は、液体電解質、固体電解質、ゲル電解質、又はそれらの組み合わせを含む
請求項１〜９のうちの１つに記載の装置。
【請求項１１】
第１の電極、第２の電極、及び上記第１及び第２の電極と電気的に導通する電源を有するエレクトロクロミックデバイスの透過率を変調する方法であって、
上記方法は、上記電源から上記第１及び第２の電極の間に連続電圧を印加し、所定のパルスシーケンスにより上記連続電圧をパルス化するステップを含み、
上記パルスシーケンスは、約０．５秒未満の間にわたって少なくとも１つの過電位を印加し、次に、約０．５秒未満の間にわたって動作電位を印加することを含み、
上記過電位の高さは上記動作電位よりも高く、
上記方法は、
上記エレクトロクロミックデバイスの選択された透過率の状態に達したとき、上記第１及び第２の電極への上記連続電圧の印加を停止するステップを含む方法。
【請求項１２】
上記電源から連続電圧を印加するステップは、上記電源及び上記第１及び第２の電極に動作可能に接続されたコントローラにより上記パルスシーケンスを制御することを含む請求項１１記載の方法。
【請求項１３】
上記コントローラに動作可能に接続された光センサにおける光センサ電位を測定するステップと、
上記光センサ電位に基づいて上記少なくとも１つの過電位の値を決定するステップとを含む請求項１２記載の方法。
【請求項１４】
上記光センサ電位を、上記エレクトロクロミックデバイスの選択された透過率状態に関連付けられた基準電位に対して比較するステップを含む請求項１３の方法。
【請求項１５】
上記基準電位を較正するステップを含む請求項１４の方法。
【請求項１６】
上記少なくとも１つの過電位は、上記動作電位より高い約４Ｖ未満の高さを有する請求項１１〜１５のうちの１つに記載の方法。
【請求項１７】
上記少なくとも１つの過電位を印加することは、複数の過電位を印加することを含む
請求項１１〜１６のうちの１つに記載の方法。
【請求項１８】
複数の過電位を印加することは、上記動作電位よりも高く、約４Ｖ未満の高さを有する最大過電位で開始し、上記動作電位より高い最小過電位で終わる、複数の過電位パルスからなる減少シーケンスを印加することを含む請求項１７記載の方法。
【請求項１９】
上記最大過電位は約０．２秒未満の間にわたって印加され、上記最小過電位は約０．２秒未満の間にわたって印加される請求項１８記載の方法。
【請求項２０】
複数の過電位パルスからなる減少シーケンスは、約０．２秒以下で約０．２５Ｖの第のレートに従って減少される請求項１８及び１９のうちの１つに記載の方法。
【請求項２１】
上記複数の過電位パルスからなる減少シーケンスは、約０．１５秒以下で約０．２５Ｖの第１のレートに従って、又は、約０．２秒以下で約０．２５Ｖの第２のレートに従って減少される請求項１８〜２０のうちの１つに記載の方法。
【請求項２２】
上記複数の過電位パルスからなる減少シーケンスは、約０．１５秒で約０．２５Ｖの第１のレートに従って、次に、約０．２秒で約０．２５Ｖの第２のレートに従って減少され、
上記最大過電位は約３Ｖの高さを有する請求項１８〜２１のうちの１つに記載の方法。
【請求項２３】
上記動作電位は約０．５Ｖ〜１．５Ｖの高さを有する請求項１１〜２２のうちの１つに記載の方法。
【請求項２４】
上記動作電位は約１．０Ｖの高さを有する請求項２３記載の方法。
【手続補正２】
【補正対象書類名】明細書
【補正対象項目名】００５７
【補正方法】変更
【補正の内容】
【００５７】
前述の分析に基づいて、本明細書で説明したエレクトロクロミックデバイスをスイッチングする複数の例示的な方法が開発された。これらの方法は、以下でさらに説明するように、本発明で説明されたエレクトロクロミックデバイスへ適用されるものとして識別された、Ａ、Ｂ、Ｃ、及びＤとして指定された複数のプログラムを含む。しかしながら、同様の原理を用いる他のプログラムにたどり着いてもよく、そのようなプログラムも使用可能である。これらのプログラムのそれぞれは、研究所のポテンショスタットを用いる「標準的」なスイッチングと比較して、著しくより高速なスイッチングをもたらし、さらに、何千回以上の明／暗スイッチングサイクルにわたる良好な安定性（すなわち、エレクトロクロミックシステムの酸化還元又は他の劣化が生じないこと）をもたらす。本発明のエレクトロクロミックデバイスには、複数のＤＣ動作電位を印加してもよい。実際に、動作電位は、利用されるエレクトロクロミックデバイスの機能である。本発明において、動作電位は、暗状態では約（＋）０．５から１．５Ｖであってもよく、明状態では約（−）０．５から１．５Ｖであってもよい。しかしながら、本発明のシステムに印加される好ましいＤＣ電圧（すなわち動作電位）は、暗状態では約（＋）１．０Ｖであり、明状態では約（−）１．０Ｖである。
【手続補正３】
【補正対象書類名】明細書
【補正対象項目名】００５９
【補正方法】変更
【補正の内容】
【００５９】
本発明のプログラムの開発及びアプリケーションに関して、光センサデータは光センサ電位として利用される。上で説明したように、それは受信された光に応じて生成される。好ましい実施形態において、ユーザは、目において所望される光レベルを予め選択して設定（すなわち「較正」）する。それに代わって、これは、製造時に「工場設定」される。その後、この光レベルは、光センサから電圧出力の形式コントローラ回路へプログラミングされる。その後、ユーザによって着用されたエレクトロクロミック眼鏡の動作において、光センサに過度の光が入射していると決定された場合、それを暗状態に変化させるために、特定のプログラム（例えば下記に述べられるようにプログラムＡ、Ｂ、Ｃ、及びＤのうちの１つ）が適用される。また、逆に、エレクトロクロミックが暗すぎる状態であると決定された場合、それを明状態に変化させるために、電圧プログラムが適用される。さらに、デバイスの較正の前又は後に、本方法の一部として較正が自動的に行われる場合における本発明の方法の動作の際に、必要に応じて、約１０ミリ秒から１０秒の、好ましくは約１００ミリ秒のプログラミングされた遅延が存在してもよい。さらに、本方法の初期化及びスタートアップの後に、かつ、光センサからの電圧及び／又はマイクロコントローラに格納されてもよい基準電位電圧を読み出す前に、本発明の方法は、必要に応じて、約１０ミリ秒から１０秒までのプログラミングされた遅延、好ましくは約１００ミリ秒の遅延を含んでもよい。